(57)【要約】【課題】物品の真贋を判定することができる真贋判定用装置、ＲＦＩＤタグおよび真贋判定システムを提供すること。【解決手段】前記ＲＦＩＤタグに記憶されている前記識別用可変ＩＤの送信を要求するための要求情報をこのＲＦＩＤタグに送信する第１の送信手段と、このＲＦＩＤタグから識別用可変ＩＤを受信する手段と、このＲＦＩＤタグから受信した識別用可変ＩＤの真贋判定に関する照会依頼をこの識別用可変ＩＤに付加して前記データベース装置に送信する第２の送信手段と、前記データベース装置から照会結果を受信する受信手段と、前記データベース装置から受信した照会結果に基づいて、当該識別用可変ＩＤの真贋を判定する判定手段と、前記判定手段による判定結果を表示する表示手段とを備えたことを特徴とする。【選択図】図１３
2007328567.tif 000002
【特許請求の範囲】
【請求項１】
データベース装置から通信回線を介して受信した識別用可変ＩＤを、無線通信により物品に付加されたＲＦＩＤタグに送信する真贋判定用装置であって、
前記ＲＦＩＤタグに記憶されている前記識別用可変ＩＤの送信を要求するための要求情報をこのＲＦＩＤタグに送信する第１の送信手段と、
このＲＦＩＤタグから識別用可変ＩＤを受信する手段と、
このＲＦＩＤタグから受信した識別用可変ＩＤの真贋判定に関する照会依頼をこの識別用可変ＩＤに付加して前記データベース装置に送信する第２の送信手段と、
前記データベース装置から照会結果を受信する受信手段と、
前記データベース装置から受信した照会結果に基づいて、当該識別用可変ＩＤの真贋を判定する判定手段と、
前記判定手段による判定結果を表示する表示手段とを備えたことを特徴とする真贋判定用装置。
【請求項２】
請求項１記載の真贋判定用装置において、
前記データベース装置から新たに生成された識別用可変ＩＤを受信する第２の受信手段と、
前記判定手段による判定結果が真である場合に、前記データベース装置から受信した新たな識別用可変ＩＤを前記ＲＦＩＤタグに送信する送信手段を備えたことを特徴とする真贋判定用装置。
【請求項３】
物品に付加され、真贋判定用装置と無線通信するＲＦＩＤタグであって、
前記真贋判定用装置から識別用可変ＩＤを受信して記憶するメモリ手段と、
判定時に、前記真贋判定用装置からこの識別用可変ＩＤの送信を要求するための要求情報を受信する第１の受信手段と、
前記要求情報を受信した場合に、前記メモリ手段から読み出した識別用可変ＩＤを前記真贋判定用装置に送信する送信手段とを備えたことを特徴とするＲＦＩＤタグ。
【請求項４】
請求項３記載のＲＦＩＤタグにおいて、
前記真贋判定用装置の判定結果が真である場合に、前記真贋判定用装置から新たな識別用可変ＩＤを受信して前記メモリ手段に記憶することを特徴とするＲＦＩＤタグ。
【請求項５】
請求項３記載のＲＦＩＤタグにおいて、
前記メモリ手段は、
データが蓄積される複数のメモリセルを有し、当該メモリセルからデータが読み出された場合に、当該メモリセルに読み出されたデータを残さない破壊読出しを行う不揮発性メモリからなることを特徴とするＲＦＩＤタグ。
【請求項６】
データベース装置から通信回線を介して受信した識別用可変ＩＤを真贋判定用装置から無線通信により物品に付加されたＲＦＩＤタグに送信してメモリ手段に記憶させる真贋判定システムであって、
前記ＲＦＩＤタグは、
前記真贋判定用装置から識別用可変ＩＤを受信して記憶するメモリ手段と、
判定時に、前記真贋判定用装置からこの識別用可変ＩＤの送信を要求するための要求情報を受信する第１の受信手段と、
前記メモリ手段から読み出した識別用可変ＩＤを前記真贋判定用装置に送信する送信手段とを備え、
前記データベース装置は、
特有の識別用可変ＩＤを生成して記憶する記憶手段と、
前記ＲＦＩＤタグから受信した識別用可変ＩＤとこの識別用可変ＩＤの真贋判定に関する照会依頼とを前記真贋判定用装置から受信する第２の受信手段と、
この第２の受信手段により受信された識別用可変ＩＤと一致する識別用可変ＩＤが前記記憶手段にあるか否かを検索する検索手段と、
この検索の結果を照会結果として前記真贋判定用装置に送信する第１の送信手段とを備え、
前記真贋判定用装置は、
前記データベース装置から識別用可変ＩＤに関する照会結果を受信する第３の受信手段と、
前記データベース装置から受信した照会結果に基づいて、当該識別用可変ＩＤの真贋を判定する判定手段と、
前記判定手段による判定結果を表示する表示手段とを備えたことを特徴とする真贋判定用装置。
【発明の詳細な説明】
【技術分野】
【０００１】
本発明は、物品の真贋を判定する真贋判定用装置、ＲＦＩＤタグおよび真贋判定システムに関する。
【背景技術】
【０００２】
従来、ブランド品や骨董的価値がある古美術品、複製が容易に可能な物、見間違い易い物、証明が難しい物等の真贋を識別可能な技術として真贋判定システムが提供されている。
【０００３】
図１６（ａ）に示すように、例えばブランド製のカバンのオリジナル品２０１に対して、悪意の者がコピー品２０２ａ，２０２ｂを製造した場合、オリジナル品２０１とコピー品２０２ａ，２０２ｂとが互いに見分けがつかないことがある。
【０００４】
そこで、図１６（ｂ）に示すように、メーカ側では固有ＩＤ情報を保持する集積回路を埋め込んだオリジナル品２０３を製造しておき、リーダーを使用してオリジナル品２０３から固有ＩＤ情報を読み取り、読み取った固有ＩＤ情報を照会するようにしておけば、オリジナル品２０３が本物であると判定することができる。
【０００５】
ところで、このように固有ＩＤ情報を保持する技術としては、特許文献１、特許文献２に記載されているものが報告されている。特許文献１では、トナーカートリッジ等の交換部品に関し、出荷時に固有ＩＤ情報を割り当てるものである。
【０００６】
また、特許文献２では、各ＩＣチップのユニークコードに所定のアルゴリズムを適用してチェックディジットのようなセキュリティコードを生成し、生成したセキュリティコードを各ＩＣチップに書き込んでおり、リーダ・ライタを用いて各ＩＣチップから読み取ったユニークコードとセキュリティコードとに基づいて、各ＩＣチップが複製された偽物であるか否かを、ひいては各ＩＣチップの真贋を判定するものである。特に、特許文献２にあっては、ユニークコードとして、各ＩＣチップに固有で読取り可能かつ書換え不可能に書き込まれたシリアルナンバーを用いている。
【特許文献１】特開２００２−２１４９８１号公報
【特許文献２】特開２００２−２５９９３６号公報
【発明の開示】
【発明が解決しようとする課題】
【０００７】
しかしながら、悪意の者がオリジナル品２０３から固有ＩＤ情報を読み取って、この固有ＩＤ情報を複製してコピー品２０４に埋め込んだ場合、オリジナル品２０３とコピー品２０４との固有ＩＤ情報が同じため、複製されたコピー品２０４から読み取った固有ＩＤ情報に基づいて、コピー品２０４が贋物であるにも拘わらず本物として判定されるといった問題があった。
【０００８】
このように、特許文献１に記載された技術を利用した場合、精巧な複製技術によってオリジナル品とコピー品の区別ができなくなり、オリジナル品がコピー品とすりかえられた場合には、コピー品が贋物であるにも拘わらず本物として判定されるといった問題があった。
【０００９】
また、特許文献２にあっては、ユニークコードとしてシリアルナンバーとセキュリティコードを各ＩＣチップに書き込んでいる。しかしながら、悪意の者がオリジナル品２０３からシリアルナンバーとセキュリティコードを読み取って、このシリアルナンバーとセキュリティコードを複製してコピー品２０４に埋め込んだ場合、オリジナル品２０３とコピー品２０４との、シリアルナンバーとセキュリティコードが同じため、複製されたコピー品２０４から読み取ったシリアルナンバーとセキュリティコードに基づいて、コピー品２０４が贋物であるにも拘わらず本物として判定されるといった問題があった。
【００１０】
そこで、例えばホテルのクロークや空港等において、所有者のカバンと類似した複数のカバンの中から自己のカバンを探し出す場合に、対象となるカバンの真贋を判定するために真贋判定用装置、ＲＦＩＤタグおよび真贋判定システムの提案が望まれていた。
【００１１】
本発明は、物品の真贋を判定することができる真贋判定用装置、ＲＦＩＤタグおよび真贋判定システムを提供することを目的とする。
【課題を解決するための手段】
【００１２】
本発明の真贋判定用装置は、上述の課題を解決するために、データベース装置から通信回線を介して受信した識別用可変ＩＤを、無線通信により物品に付加されたＲＦＩＤタグに送信する真贋判定用装置であって、前記ＲＦＩＤタグに記憶されている前記識別用可変ＩＤの送信を要求するための要求情報をこのＲＦＩＤタグに送信する第１の送信手段と、このＲＦＩＤタグから識別用可変ＩＤを受信する手段と、このＲＦＩＤタグから受信した識別用可変ＩＤの真贋判定に関する照会依頼をこの識別用可変ＩＤに付加して前記データベース装置に送信する第２の送信手段と、前記データベース装置から照会結果を受信する受信手段と、前記データベース装置から受信した照会結果に基づいて、当該識別用可変ＩＤの真贋を判定する判定手段と、前記判定手段による判定結果を表示する表示手段とを備えたことを特徴とする。
【００１３】
この発明によれば、データベース装置から受信した識別用可変ＩＤを物品に付加されたＲＦＩＤタグに送信しておき、真贋の判定時に、ＲＦＩＤタグに記憶されている識別用可変ＩＤの送信を要求し、このＲＦＩＤタグから識別用可変ＩＤを受信し、このＲＦＩＤタグから受信した識別用可変ＩＤの真贋判定に関する照会依頼をこの識別用可変ＩＤに付加してデータベース装置に送信し、データベース装置から受信した照会結果に基づいて、当該識別用可変ＩＤの真贋を判定し、この判定結果を表示することで、物品の真贋を判定することができる。
【００１４】
例えば、ホテルのクロークや空港等において、所有者のカバンと類似した複数のカバンの中から自己のカバンを探し出す場合に、真贋判定の対象となるカバンの真贋を確実に判定することができる。
【００１５】
本発明の真贋判定用装置は、上述の課題を解決するために、前記データベース装置から新たに生成された識別用可変ＩＤを受信する第２の受信手段と、前記判定手段による判定結果が真である場合に、前記データベース装置から受信した新たな識別用可変ＩＤを前記ＲＦＩＤタグに送信する送信手段を備えたことを特徴とする。
【００１６】
この発明によれば、判定結果が真である場合に、データベース装置から受信した新たな識別用可変ＩＤをＲＦＩＤタグに送信することで、真のＲＦＩＤタグに対して新たな識別用可変ＩＤに更新することができ、物品の真贋判定を高確度で行うことができる。
【００１７】
本発明の真贋判定システムは、上述の課題を解決するために、物品に付加され、真贋判定用装置と無線通信するＲＦＩＤタグであって、前記真贋判定用装置から識別用可変ＩＤを受信して記憶するメモリ手段と、判定時に、前記真贋判定用装置からこの識別用可変ＩＤの送信を要求するための要求情報を受信する第１の受信手段と、前記要求情報を受信した場合に、前記メモリ手段から読み出した識別用可変ＩＤを前記真贋判定用装置に送信する送信手段とを備えたことを特徴とする。
【００１８】
この発明によれば、真贋判定用装置から識別用可変ＩＤを受信してメモリ手段に記憶しておき、判定時に、真贋判定用装置からこの識別用可変ＩＤの送信を要求するための要求情報を受信した場合に、メモリ手段から読み出した識別用可変ＩＤを真贋判定用装置に送信することで、ＲＦＩＤタグに記憶されている識別用可変ＩＤを送信させることで、この識別用可変ＩＤを有する物品の真贋の判定を行うことができる。
【００１９】
本発明の真贋判定システムは、上述の課題を解決するために、前記真贋判定用装置の判定結果が真である場合に、前記真贋判定用装置から新たな識別用可変ＩＤを受信して前記メモリ手段に記憶することを特徴とする。
【００２０】
この発明によれば、真贋判定用装置の判定結果が真である場合に、真贋判定用装置から新たな識別用可変ＩＤを受信してメモリ手段に記憶することで、ＲＦＩＤタグに記憶されている識別用可変ＩＤを最新のものに更新することができる。
【００２１】
本発明のＲＦＩＤタグは、上述の課題を解決するために、前記メモリ手段は、データが蓄積される複数のメモリセルを有し、当該メモリセルからデータが読み出された場合に、当該メモリセルに読み出されたデータを残さない破壊読出しを行う不揮発性メモリからなることを特徴とする。
【００２２】
この発明によれば、演算時に、不揮発性メモリに記憶された識別コードを残さない破壊読出しを行うので、ＲＦＩＤタグの複製を防止することができる。
【００２３】
本発明の真贋判定システムは、上述の課題を解決するために、データベース装置から通信回線を介して受信した識別用可変ＩＤを真贋判定用装置から無線通信により物品に付加されたＲＦＩＤタグに送信してメモリ手段に記憶させる真贋判定システムであって、前記ＲＦＩＤタグは、前記真贋判定用装置から識別用可変ＩＤを受信して記憶するメモリ手段と、判定時に、前記真贋判定用装置からこの識別用可変ＩＤの送信を要求するための要求情報を受信する第１の受信手段と、前記メモリ手段から読み出した識別用可変ＩＤを前記真贋判定用装置に送信する送信手段とを備え、前記データベース装置は、特有の識別用可変ＩＤを生成して記憶する記憶手段と、前記ＲＦＩＤタグから受信した識別用可変ＩＤとこの識別用可変ＩＤの真贋判定に関する照会依頼とを前記真贋判定用装置から受信する第２の受信手段と、この第２の受信手段により受信された識別用可変ＩＤと一致する識別用可変ＩＤが前記記憶手段にあるか否かを検索する検索手段と、この検索の結果を照会結果として前記真贋判定用装置に送信する第１の送信手段とを備え、前記真贋判定用装置は、前記データベース装置から識別用可変ＩＤに関する照会結果を受信する第３の受信手段と、前記データベース装置から受信した照会結果に基づいて、当該識別用可変ＩＤの真贋を判定する判定手段と、前記判定手段による判定結果を表示する表示手段とを備えたことを特徴とする。
【００２４】
この発明によれば、ＲＦＩＤタグは、真贋判定用装置から識別用可変ＩＤを受信してメモリ手段に記憶しておき、判定時に、真贋判定用装置からの識別用可変ＩＤの要求情報に応じてメモリ手段から読み出した識別用可変ＩＤを真贋判定用装置に送信し、データベース装置は、特有の識別用可変ＩＤを生成して記憶し、ＲＦＩＤタグから受信した識別用可変ＩＤとこの識別用可変ＩＤの真贋判定に関する照会依頼とを真贋判定用装置から受信し、この受信された識別用可変ＩＤと一致する識別用可変ＩＤが記憶手段にあるか否かを検索し、この検索の結果を照会結果として真贋判定用装置に送信し、真贋判定用装置は、データベース装置から識別用可変ＩＤに関する照会結果を受信し、データベース装置から受信した照会結果に基づいて、当該識別用可変ＩＤの真贋を判定して判定結果を表示することで、物品の真贋を判定してその結果を表示することができる。
【００２５】
例えば、ホテルのクロークや空港等において、所有者のカバンと類似した複数のカバンの中から自己のカバンを探し出す場合に、対象となるカバンの真贋を確実に判定することができる。
【発明を実施するための最良の形態】
【００２６】
以下、本発明の実施形態を図面に基づいて説明する。
【００２７】
本発明に係る真贋判定システムを、図１に示すように、例えばカバンの真贋を判定するためのシステムに適用して説明する。
【００２８】
図１において、真贋判定システム１１は、ＲＦＩＤタグ１３が内蔵されているカバン１２と、ＲＦＩＤタグ１３と近接距離で通信してカバン１２の真贋を判定するために所有者または店舗が所持する真贋判定用端末１４と、真贋判定用端末１４と専用ケーブル１７を介して接続されて真贋判定用端末１４と店舗用ＤＢ１５との間でパケットデータを用いたデータ通信を仲介するための携帯電話機１８と、携帯電話機１８に対して無線通信サービスを提供するための無線通信回線１９と、無線通信回線１９と接続され通信サービスを提供するための通信回線１６と、通信回線１６と店舗用ＤＢ１５との間で通信経路を設定するためのルータ２０と、真贋判定用端末１４に識別情報や識別用可変ＩＤを与えるためにカバン１２を販売する店舗に設けられた店舗用ＤＢ（データベース）１５とから構成されている。なお、携帯電話機１８は、インターネットや電子メールを行う機能を有している。
【００２９】
なお、図１において、カバン１２の販売時には、例えば、店舗内にカバン１２と真贋判定用端末１４と携帯電話機１８および店舗用ＤＢ１５とがともに存在している状態にある。
【００３０】
一方、このカバン１２を購入した後は、真贋判定用端末１４と携帯電話機１８とは所有者が保持している。例えばホテルのクロークや空港等で所有者がこのカバン１２と類似した複数のカバンの中から自己のカバン１２を探し出す場合や、所持しているカバンが確実に所有者のものなのか真贋を判定するために真贋判定用端末１４を用いる。
【００３１】
図２において、ＲＦＩＤタグ１３は、カバン１２に取り付けられており、ＲＦＩＤタグ１３内には、コイルアンテナ１３ａを介して真贋判定用端末１４側から変動磁場を受信したときに電力を発生する電力発生部１３ｂと、真贋判定用端末１４から受信した識別情報と識別用可変ＩＤを記憶する不揮発性メモリからなる強誘電体メモリ部１３ｆと、電力発生部１３ｂから電力が供給されたとき強誘電体メモリ部１３ｆに記憶された識別用可変ＩＤを読み出してこれを変調部１３ｄに付与する制御部１３ｇと、制御部１３ｇからの識別用可変ＩＤに基づいて一定周波数の正弦波信号を周波数偏移（ＦＳＫ）変調して所定の順序の複数の異なる周波数の正弦波信号を形成する変調部１３ｄと、変調部１３ｄの出力信号をコイルアンテナ１３ａより空間に放射して変動磁場を形成する送信部１３ｃと、コイルアンテナ１３ａを介して真贋判定用端末１４側から変動磁場を受信して受信信号を出力する受信部１３ｈと、受信部１３ｈからの受信信号を復調して出力信号を制御部１３ｇに与える復調部１３ｉと、制御プログラムを記憶するＲＯＭ（Ｒｅａｄ  Ｏｎｌｙ  Ｍｅｍｏｒｙ）１３ｅとから構成されている。
【００３２】
なお、変調部１３ｄには一定周波数の正弦波信号を発生する局部発振器が内蔵されている。また、強誘電体メモリ部１３ｆにはＦｅＲＡＭが使用され、コイルアンテナ１３ａとともに樹脂性のケース（図示しない）内に収容されている。
【００３３】
図３において、真贋判定用端末１４は、一定周波数の正弦波信号をコイルアンテナ１４ａより空間に放射して変動磁場を形成する発振部１４ｂと、ＲＦＩＤタグ１３からの変動磁場をコイルアンテナ１４ａを介して受信する受信部１４ｃと、受信部１４ｃの出力信号を周波数弁別により復調してＲＦＩＤタグ１３からの変動磁場の周波数を検出する復調部１４ｄ、制御部１４ｆからの識別用可変ＩＤに基づいて一定周波数の正弦波信号を周波数偏移変調して所定の順序の複数の異なる周波数の正弦波信号を形成する変調部１４ｎと、変調部１４ｎの出力信号をコイルアンテナ１４ａより空間に放射して変動磁場を形成する送信部１４ｐと、カバン１２を購入したときに販売店により所有者に付与された識別用可変ＩＤを含む識別情報を記憶するＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）１４ｅと、復調部１４ｄから得られたＲＦＩＤタグ１３からの識別用可変ＩＤを店舗用ＤＢ１５に転送して照会し、店舗用ＤＢ１５から返信される照会結果に基づいて識別用可変ＩＤの真贋を判定する制御部１４ｆと、制御部１４ｆによる前述した識別用可変ＩＤの照会結果に応じてカバン１２の真贋を表示する表示部１４ｇと、コネクタ１４ｒに接続された専用ケーブル１７を介して携帯電話機１８との間でパケットデータを用いたデータ通信を行うための通信処理部１４ｈと、操作情報を入力して制御部１４ｆに与える操作部１４ｉと、現在の時刻情報を制御部１４ｆに与えるＲＴＣ（Ｒｅａｌ  Ｔｉｍｅ  Ｃｌｏｃｋ）１４ｊと、真贋判定に用いるプログラムを記憶するＲＯＭ１４ｋと、制御部１４ｆによりワークメモリとして利用されるＲＡＭ１４ｍとから構成されている。
【００３４】
図４において、店舗用ＤＢ（データベース）１５は、カバン１２の販売時に後述する識別情報の入力フォームをモニタ１５ａに表示する表示処理部１５ｂと、例えば識別情報の詳細な項目毎にデータを入力して制御部１５ｄに与えるキーボード１５ｃと、入力された識別情報をＨＤ（ハードディスク）１５ｅに記憶させるとともにＨＤ１５ｅから読み出した識別情報を通信処理部１５ｆに与えるように制御する制御部１５ｄと、ルータ２０に接続され通信処理を行う通信処理部１５ｆと、制御に用いるプログラムを記憶するＲＯＭ１５ｇと、制御部１５ｄによりワークメモリとして利用されるＲＡＭ１５ｈとから構成されている。
【００３５】
なお、カバン１２と真贋判定用端末１４および携帯電話機１８とがともに所有者により携帯され、店舗から遠隔地にある場合には、真贋判定用端末１４と店舗用ＤＢ１５とを、携帯電話機１８、無線通信回線１９、通信回線１６、ルータ２０とを介して接続して通信する。
【００３６】
＜強誘電体メモリ部１３ｆの第１の構成例＞
ここで、強誘電体メモリ部１３ｆの第１の構成例について説明する。強誘電体メモリ部１３ｆは、図５に示すように、基板（ｃｈｉｐ）５０上に、強誘電体材料がデータの蓄積メモリとして構成されるメモリセル１００と、マトリクス状に複数個並んで配置されているメモリセル１００の中から任意のメモリセル１００を選択する選択信号Ｓ１が供給される選択線（以降、ワードライン（ＷＬ、Ｗｏｒｄ  Ｌｉｎｅ）と呼ぶ。）１０１と、メモリセル１００に第１の電圧Ｖ１が供給される第１の電圧供給線（以降、ビットライン（ＢＬ、Ｂｉｔ  Ｌｉｎｅ）と呼ぶ。）１０２と、メモリセル１００に第２の電圧Ｖ２が供給される第２の電圧供給線（以降、プレートライン（ＰＬ、Ｐｌａｔｅ  Ｌｉｎｅ）と呼ぶ。）１０３とから構成されるメモリセル群５１と、ＷＬ１０１を介して選択信号Ｓ１を供給して任意のメモリセル１００を選択し、当該メモリセル１００にデータを書き込むデータ書込部５２と、ＷＬ１０１を介して選択信号Ｓ１を供給して任意のメモリセル１００を選択し、当該メモリセル１００に書き込まれているデータを読み出すデータ読出部５３と、データ書込部５２によるデータの書き込み動作を制御し、また、データ読出部５３によるデータの読み出し動作を制御する制御部５４とを備える。
【００３７】
また、メモリセル１００は、データ読出部５３によりデータが反転して読み出された後は、データの再書き込み動作が行われず、その状態（反転状態）が維持される。
【００３８】
ここで、メモリセル群５１の構成について詳述する。メモリセル群５１は、図６に示すように、複数のメモリセル１００と、ＷＬ１０１に選択信号Ｓ１を供給するＷＬ駆動部１０４と、ＢＬ１０２に第１の電圧Ｖ１を供給するＢＬ駆動部１０５と、ＰＬ１０３に第２の電圧Ｖ２を供給するＰＬ駆動部１０６とを備える。
【００３９】
メモリセル１００は、図７に示すように、トランジスタ１１０と、強誘電体膜（以降、強誘電体キャパシタと呼ぶ。）から構成されるキャパシタ１１１とから構成されており、トランジスタ１１０のゲート端子にＷＬ１０１が接続され、また、トランジスタ１１０のドレイン端子（又はソース端子）にＢＬ１０２が接続され、また、トランジスタ１１０のソース端子（又はドレイン端子）にキャパシタ１１１の一方側の端子が接続され、さらに、キャパシタ１１１の他方側の端子にＰＬ１０３が接続されている。また、強誘電体キャパシタの材料としては、ＰＺＴ（ジルコン酸チタン酸鉛）等のペロブスカイト化合物系や、ＳＢＺ（チタン酸バリウム・ストロンチウム）等の層状ペロブスカイト化合物系が用いられる。また、本実施例では、メモリセル１００は、いわゆる１Ｔ／１Ｃ型を示しているが、これに限定されず、例えば、２Ｔ／２Ｃ型等であってもよい。
【００４０】
ＷＬ駆動部１０４は、行方向アドレスデコーダを有しており、アドレス選択されたＷＬ１０１に、データの書き込み又は読み出しに応じた電位を供給する。
【００４１】
ＢＬ駆動部１０５は、列方向アドレスデコーダと、センスアンプとを有しており、アドレス選択されたＢＬ１０２に、データの書き込み又は読み出しに応じた電位を供給する。また、ＢＬ駆動部１０５は、データの読み出し時においては、ＢＬ１０２を介してセンスアンプに供給される電圧をセンスアンプにおいて増幅し、増幅後の信号を外部に出力する。
【００４２】
ＰＬ駆動部１０６は、行方向アドレスデコーダを含んで構成されており、アドレス選択されたＰＬ１０３に、データの書き込み又は読み出しに応じた電位を供給する。
【００４３】
ここで、メモリセル１００にデータを書き込む動作について説明する。データ書込部５２は、制御部５４による書き込み制御にしたがって、メモリセル群５１のＷＬ駆動部１０４と、ＢＬ駆動部１０５と、ＰＬ駆動部１０６に所定の信号を供給する。ＷＬ駆動部１０４は、データ書込部５２から供給された信号にしたがって、任意のＷＬ１０１を選択し、選択したＷＬ１０１に所定の選択信号を供給する。ＷＬ駆動部１０４により選択されたＷＬ１０１上のメモリセル１００は、ゲート端子に選択信号が供給されることによりトランジスタ１１０がＯＮ状態となる。
【００４４】
また、ＢＬ駆動部１０５は、データ書込部５２から供給された信号にしたがって、任意のＢＬ１０２を選択し、選択したＢＬ１０２に第１の電圧Ｖ１を供給する。また、ＰＬ駆動部１０６は、データ書込部５２から供給された信号にしたがって、任意のＰＬ１０３に所定の第２の電圧Ｖ２を供給する。
【００４５】
例えば、ＢＬ１０２に第１の電圧Ｖ１として０Ｖが印加され、ＰＬ１０３に第２の電圧Ｖ２としてＶｃｃが印加されると、キャパシタ１１１には「０」が書き込まれ、また、ＢＬ１０２に第１の電圧Ｖ１としてＶｃｃが印加され、ＰＬ１０３に第２の電圧Ｖ２として０Ｖが印加されると、キャパシタ１１１には「１」が書き込まれる。
【００４６】
また、キャパシタ１１１は、ＷＬ１０１が非選択状態（トランジスタ１１０がＯＦＦ状態）になっても書き込まれたデータ（状態）を保持する。
【００４７】
つぎに、メモリセル１００に書き込まれているデータを読み出す動作について説明する。まず、外部からアドレス信号並びに読み出しを行うための読み出し制御信号が供給される。また、供給されたアドレス信号は、図示しないアドレスデコード回路部により、ＷＬ１０１とＰＬ１０３とを選択するためのＸデコード信号にデコードされ、センスアンプ回路やＢＬ１０２を選択するためのＹデコード信号にデコードされる。
【００４８】
また、Ｘデコード信号は、ＷＬ１０１に備えられているＷＬ駆動部１０４と、ＰＬ１０３に備えられているＰＬ駆動部１０６に供給される。ＷＬ駆動部１０４は、Ｘデコード信号に基づいて任意のＷＬ１０１を選択する。また、ＰＬ駆動部１０６は、Ｘデコード信号に基づいて任意のＰＬ１０３を選択する。
【００４９】
また、Ｙデコード信号は、ＢＬ１０２に備えられているＢＬ駆動部１０５に供給される。ＢＬ駆動部１０５は、Ｙデコード信号に基づいて任意のＢＬ１０２とセンスアンプ回路とを選択する。
【００５０】
また、外部から供給されたアドレス信号にしたがって、ＷＬ１０１並びにＰＬ１０３が選択されたメモリセル１００は、キャパシタ１１１に記憶されているデータに応じた電圧をＢＬ１０２上に出力する。
【００５１】
一方、外部から供給された読み出し制御信号は、制御部５４に供給され、ＢＬ１０２並びにＢＬ駆動部１０５（センスアンプ回路）を動作させるタイミングを制御するための信号として用いられる。
【００５２】
また、ＢＬ１０２上に出力された電圧は、制御部５４によるＢＬ１０２を選択するタイミングと、センスアンプ回路を動作させるタイミングとにしたがって、増幅された後、読み出しデータとして外部に出力される。
【００５３】
また、ＢＬ駆動部１０５は、データ読出部５３から供給された信号にしたがって、任意のＢＬ１０２を選択し、選択したＢＬ１０２に第１の電圧Ｖ１を供給する。また、ＰＬ駆動部１０６は、データ読出部５３から供給された信号にしたがって、任意のＰＬ１０３に所定の第２の電圧Ｖ２を供給する。
【００５４】
例えば、ＢＬ１０２に第１の電圧Ｖ１として０Ｖが印加され、ＰＬ１０３に第２の電圧Ｖ２としてＶｃｃが印加されると、キャパシタ１１１の分極状態に応じた電圧がＢＬ１０２を介してＢＬ駆動部１０５のセンスアンプに供給される。
【００５５】
センスアンプは、供給された電圧に応じて、「１」又は「０」を判断して外部に出力する。
【００５６】
また、キャパシタ１１１は、「１」が読み出された場合には、分極状態が「１」の状態から「０」の状態に反転され、この反転状態を維持する、いわゆる破壊読み出しが行われる。なお、キャパシタ１１１は、「０」が読み出された場合には、分極状態の反転が生じないため、データの読み出し後も「０」が維持される。
【００５７】
したがって、本発明に係るメモリ部１０Ａは、反転読み出しをした際に、従来から行われているデータの再書き込み動作を行う機能を有さないため、データ読出部３３により任意のメモリセル１００からデータが反転読み出された後、当該メモリセル１００に対してデータの再書き込み動作が実行されず、同一データが複数個存在する状態を回避することができる。なお、メモリからデータが読み出された後、同一のデータがメモリ上に残ってしまうような従来型の構成の場合、データを読み出した回数分、同一のデータが存在してしまうことになる。そうなると、重複して存在するデータを悪用される問題があり、セキュリティを図る上で障害となってしまう。
【００５８】
また、強誘電体メモリ部１３ｆＡは、基板５０上に制御部５４を備えず、外部制御部により同様の制御が行われるような構成であってもよい。
【００５９】
このような構成によれば、基板５０上にデータ書込部５２とデータ読出部５３を制御する機能を実装しないため、基板５０を小規模化することができる。また、このような構成においても、データ読出部５３により任意のメモリセル１００からデータが反転読み出された後、当該メモリセル１００に対してデータの再書き込み動作が実行されず、同一データが複数個存在する状態を回避することができる。
【００６０】
＜強誘電体メモリ部１３ｆの第２の構成例＞
つぎに、強誘電体メモリ部１３ｆの第２の構成例について以下に説明する。なお、上述した強誘電体メモリ部１３ｆＡと同一の構成要素については、同一の番号を付し、詳細な説明を省略する。
【００６１】
強誘電体メモリ部１３ｆＢは、図８に示すように、基板５０上に、強誘電体材料がデータの蓄積メモリとして構成されるメモリセル１００と、マトリクス状に複数個並んで配置されているメモリセル１００の中から任意のメモリセル１００を選択する選択信号Ｓ１が供給されるＷＬ１０１と、メモリセル１００に第１の電圧Ｖ１が供給されるＢＬ１０２と、メモリセル１００に第２の電圧Ｖ２が供給されるＰＬ１０３とから構成されるメモリセル群５１と、ＷＬ１０１を介して選択信号Ｓ１を供給して任意のメモリセル１００を選択し、当該メモリセル１００にデータを書き込むデータ書込部５２と、ＷＬ１０１を介して選択信号Ｓ１を供給して任意のメモリセル１００を選択し、当該メモリセル１００に書き込まれているデータを読み出すデータ読出部５３と、データ書込部５２によるデータの書き込み動作を制御し、また、データ読出部５３によるデータの読み出し動作を制御する制御部５４と、データ読出部５３によりデータが読み出された任意のメモリセル１００に対して、読み出したデータと同一のデータを再書き込みするようにデータ書込部５２を制御するデータ再書込制御部５５を備える。
【００６２】
データ再書込制御部５５は、メモリセル群５１の動作確認検査を行う場合にのみデータの再書き込み動作を行い、それ以外の場合には再書き込み動作を行わないようにデータ書込部３２を制御する。
【００６３】
ここで、メモリセル群５１の動作確認検査を行う場合におけるデータの再書き込み動作について説明する。なお、キャパシタ１１１から「１」を読み出した場合には、ＢＬ１０２の電位は、Ｖｃｃになっている。また、再書き込み動作は、データが反転読み出しをされた後所定期間内に実行されるものとする。
【００６４】
データ書込部５２は、データ再書込制御部５５によるデータの再書き込み制御にしたがって、ＰＬ駆動部１０６に所定の信号を供給する。ＰＬ駆動部１０６は、反転読み出しをされたキャパシタ１１１が接続されているＰＬ１０３の電位を０Ｖにする。したがって、キャパシタ１１１は、逆バイアスが印加されることになり、元の状態である「１」が再書き込みされる。
【００６５】
したがって、本発明に係るメモリ部１０Ｂは、工場出荷時においてメモリセル群５１の動作確認検査を行う場合には、基板５０上に搭載されているデータ再書込制御部５５を利用することができ、また、検査終了後には、データ再書込制御部５５の機能を無効（制限）にすることができる。ゆえに、本発明に係るメモリ部１０Ｂは、検査終了後においては、データ読出部５３により任意のメモリセル１００からデータが反転読み出しされた後、当該メモリセル１００に対してデータの再書き込み動作が実行されないため、同一データが複数個存在する状態を回避することができる。
【００６６】
また、メモリ部１０Ｂは、基板５０上に制御部５４およびデータ再書込制御部５５を備えず、外部制御部により同様の制御が行われるような構成であってもよい。
【００６７】
このような構成によれば、基板５０上にデータ書込部５２とデータ読出部５３を制御する機能を実装しないため、基板５０を小規模化することができる。また、このような構成においても、工場出荷時においてメモリセル群５１の動作確認検査を行う場合には、基板５０上に搭載されているデータ再書込制御部５５を利用することができ、また、検査終了後には、データ再書込制御部５５の機能を無効（制限）にすることができる。また、本構成においても、検査終了後においては、データ読出部５３により任意のメモリセル１００からデータが反転読み出しをされた後、当該メモリセル１００に対してデータの再書き込み動作が実行されないため、同一データが複数個存在する状態を回避することができる。
【００６８】
＜販売時での店舗用ＤＢの動作説明＞
次に、図４に示すブロック図、図９に示すフローチャート、図１５（ａ）に示すシーケンス図を参照して、店舗用ＤＢ１５の動作を説明する。
【００６９】
カバン１２を販売する際には、店舗の店員により販売管理書類が作成される。この販売管理書類には、真贋確認に使用するための識別用可変ＩＤ、購入店コード、購入金額データ、購入された日付データおよび時刻データ、購入者名データ、購入者が携帯する携帯電話機１８の電話番号等の識別情報が記載されている。なお、識別情報にある電話番号に代わって、メールアドレス、インターネットの認証ＩＤとパスワードを用いてもよい。
【００７０】
そこで、店員がこの書類の記載内容を店舗用ＤＢ１５に入力するために店舗用ＤＢ１５を起動する。まず、ステップＳ１０では、制御部１５ｄによりＲＯＭ１５ｇから制御プログラムが読み出され、表示処理部１５ｂに対して入力フォームの画面データが入力され、表示処理部１５ｂにより入力フォームの画像信号が形成されモニタ１５ａに入力フォームが表示される。
【００７１】
次いで、ステップＳ２０では、店員によりキーボード１５ｃから上述した識別情報が入力されると、制御部１５ｄは入力された識別情報を入力フォーム上に展開し、表示処理部１５ｂにより入力フォームに識別情報が付加された画像信号が形成されモニタ１５ａに表示される。同時に、キーボード１５ｃから入力された識別情報は、制御部１５ｄからハードディスクＨＤ１５ｅにレコード番号を付加して記憶される。
【００７２】
ここで、店員はカバン１２と真贋判定用端末１４を店舗用ＤＢ１５の近傍に置いて後述する情報転送の準備をする。
【００７３】
次いで、ステップＳ４０では、制御部１５ｄは、店員によるマウス（図示しない）の操作に応じて表示画面上に表示されている転送ボタン（図示しない）がクリックされてＯＮされたか否かを判断する。
【００７４】
次いで、転送ボタンがＯＮされた場合には、ステップＳ５０に進み、制御部１５ｄは、購入者の携帯電話機１８のメールアドレスを指定してデータ通信を行うために通信処理部１５ｆを制御し、この購入者に付与する識別情報をハードディスクＨＤ１５ｅから読み出し、この識別情報を含む電子メールを生成し、通信処理部１５ｆからルータ２０、通信回線１６、無線通信回線１９を介してインターネットプロバイダ（図示しない）に送信し、このインターネットプロバイダを介して携帯電話機１８に電子メールを受信させ、携帯電話機１８を介して真贋判定用端末１４に転送する（ＳＴ５０）。
【００７５】
＜販売時での真贋判定用端末の動作説明＞
次に、図３に示すブロック図、図１０に示すフローチャート、図１５（ａ）に示すシーケンス図を参照して、真贋判定用端末１４の動作を説明する。なお、上述したように、情報転送時には、カバン１２と真贋判定用端末１４および携帯電話機１８とが店舗用ＤＢ１５の近傍に置かれている。
【００７６】
上述したように、店舗用ＤＢ１５と真贋判定用端末１４とが、ルータ２０、通信回線１６、無線通信回線１９、携帯電話機１８を介して間接的に接続され、店舗用ＤＢ１５から送信されるデータが真贋判定用端末１４に転送される。
【００７７】
まず、ステップＳ１１０〜Ｓ１２０では、制御部１４ｆは、通信処理部１４ｈからデータを入力し、電子メールによる転送データがあるか否かを判断する。転送データがある場合にはステップＳ１３０に進む。
【００７８】
ステップＳ１３０〜Ｓ１４０では、制御部１４ｆは、通信処理部１４ｈにより受信された電子メールに含まれている識別情報をＥＥＰＲＯＭ１４ｅに記憶する。
【００７９】
次いで、ステップＳ１５０では、制御部１４ｆは、店員により真贋判定用端末１４に設けられた転送キー（図示しない）が押されてＯＮされたか否かを判断する。転送キーがＯＮされた場合には、ステップＳ１６０に進み、制御部１４ｆは、ＥＥＰＲＯＭ１４ｅに記憶されている識別情報を読み出して変調部１４ｎに出力するようにしてＲＦＩＤタグ１３に転送する（ＳＴ１６０）。
【００８０】
ここで、変調部１４ｎでは、制御部１４ｆからの例えば識別用可変ＩＤに基づいて一定周波数の正弦波信号を周波数偏移変調して所定の順序の複数の異なる周波数の正弦波信号を形成し、変調部１４ｎからの出力信号を送信部１４ｐのコイルアンテナ１４ａより空間に放射して変動磁場を形成する。
【００８１】
＜販売時でのＲＦＩＤタグの動作説明＞
次に、図２に示すブロック図、図１１に示すフローチャート、図１５（ａ）に示すシーケンス図を参照して、ＲＦＩＤタグ１３の動作を説明する。なお、上述したように、情報転送時には、カバン１２と真贋判定用端末１４とが店舗用ＤＢ１５の近傍に置かれている。
【００８２】
カバン１２にはＲＦＩＤタグ１３が内蔵されており、真贋判定用端末１４に設けられた転送キーが押された場合には、真贋判定用端末１４に設けられたコイルアンテナ１４ａにより空間に変動磁場が形成される。
【００８３】
このとき、ＲＦＩＤタグ１３では、コイルアンテナ１３ａを介して真贋判定用端末１４側から変動磁場を受信したときに電力発生回路１３ｂにより電力が発生される。電力発生回路１３ｂからの電力が各部に供給される。
【００８４】
同時に、コイルアンテナ１３ａを介して真贋判定用端末１４側からの変動磁場を受信して受信部１３ｈが受信信号を復調部１３ｉに出力し、復調部１３ｉでは、受信部１３ｈからの受信信号を復調して出力信号を制御部１３ｇに与える。
【００８５】
ステップＳ２１０では、制御部１３ｇは、復調部１３ｉから出力される識別情報を履歴情報として受信する（ＳＴ５０）。
【００８６】
次いで、ステップＳ２２０では、制御部１３ｇは、強誘電体メモリ部１３ｆの空き容量を判断して、受信した履歴情報を強誘電体メモリ部１３ｆに書き込めるか否かを判断する。ここで、強誘電体メモリ部１３ｆに空き容量があり、受信した履歴情報を書き込めると判断した場合には、ステップＳ２４０に進む。一方、強誘電体メモリ部１３ｆに空き容量がない場合には、ステップＳ２３０に進む。
【００８７】
強誘電体メモリ部１３ｆに空き容量がない場合には、ステップＳ２３０では、制御部１３ｇは、日付の最も古い履歴情報を強誘電体メモリ部１３ｆから削除する。
【００８８】
次いで、ステップＳ２４０では、制御部１３ｇは、受信した識別情報を履歴情報として強誘電体メモリ部１３ｆに記憶する。
【００８９】
この結果、カバン１２に内蔵されたＲＦＩＤ１３に設けられた強誘電体メモリ部１３ｆには、真贋確認に使用するための識別用可変ＩＤ、購入店コード、購入金額データ、購入された日付データおよび時刻データ、購入者名データ、電話番号等の識別情報が記憶される。
【００９０】
＜携帯時でのＲＦＩＤタグの動作説明＞
次に、図２に示すブロック図、図１２に示すフローチャート、図１５（ｂ）に示すシーケンス図を参照して、ＲＦＩＤタグ１３の動作を説明する。なお、カバン１２が所有者により携帯されている場合に、カバン１２の真贋判定を行うときには携帯電話機１８と接続されている真贋判定用端末１４がカバン１２の近傍に置かれていることとする。
【００９１】
真贋判定を行う場合、ＲＦＩＤタグ１３では、コイルアンテナ１３ａを介して真贋判定用端末１４側から変動磁場を受信し、電力発生部１３ｂにより電力が発生される。電力発生回路１３ｂからの電力が各部に供給される。同時に、コイルアンテナ１３ａを介して真贋判定用端末１４側からの変動磁場を受信して受信部１３ｈが受信信号を復調部１３ｉに出力し、復調部１３ｉでは、受信部１３ｈからの受信信号を復調して出力信号を制御部１３ｇに与える。
【００９２】
まず、ステップＳ３１０では、制御部１３ｇは、復調部１３ｉから出力されるデータにより識別用可変ＩＤ要求を受信したか否かを判断する（ＳＴ４３０）。
【００９３】
次いで、ステップＳ３２０では、制御部１３ｇは、強誘電体メモリ部１３ｆに記憶されている履歴情報のうち識別用可変ＩＤを読み出し、この識別用可変ＩＤを変調部１３ｄに出力し、一定周波数の正弦波信号を周波数偏移変調して所定の順序の複数の異なる周波数の正弦波信号を形成し、変調部１３ｄからの出力信号を送信部１３ｃで、コイルアンテナ１３ａより空間に放射して変動磁場を形成する（ＳＴ３２０）。なお、ステップＳ３２０で、強誘電体メモリ部１３ｆがＦｅＲＡＭである場合には、このＦｅＲＡＭから破壊読出し動作が行われメモリセル群から消去される。
【００９４】
次いで、ステップＳ３３０では、制御部１３ｇは、復調部１３ｉから出力される新しい識別用可変ＩＤを受信する（ＳＴ５６０）。次いで、ステップＳ３４０では、制御部１３ｇは、受信した新しい識別用可変ＩＤを強誘電体メモリ部１３ｆに記憶する。
【００９５】
＜携帯時での真贋判定用端末の動作説明＞
次に、図３に示すブロック図、図１３に示すフローチャート、図１５（ｂ）に示すシーケンス図を参照して、真贋判定用端末１４の動作を説明する。
【００９６】
なお、カバン１２と真贋判定用端末１４および携帯電話機１８とがともに所有者により携帯され、店舗から遠隔地にある。
【００９７】
真贋判定用端末１４において、ステップＳ４１０では、制御部１４ｆは、識別用可変ＩＤ要求情報を生成して、これを変調部１４ｎに出力するようにしてＲＦＩＤタグ１３に送信する（ＳＴ４１０）。
【００９８】
次いで、ステップＳ４２０では、制御部１４ｆは、ＲＦＩＤタグ１３から送信された識別用可変ＩＤを復調部１４ｄにより受信し、ＲＡＭ１４ｍに記憶する（ＳＴ３２０）。
【００９９】
次いで、ステップＳ４３０では、制御部１４ｆは、ＲＦＩＤタグ１３から受信してＲＡＭ１４ｍに記憶した識別用可変ＩＤを店舗用ＤＢ１５に送信して照会依頼する。このとき、制御部１４ｆは、店舗用ＤＢ１５のＵＲＬアドレスを指定してこのＵＲＬアドレスを通信処理部１４ｈに与えると、通信処理部１４ｈからＵＲＬアドレスを受け付けた携帯電話機１８は、無線通信回線１９に対して発呼して無線通信回線１９、通信回線１６、ルータ２０を介して店舗用ＤＢ１５と接続し、さらに、通信処理部１４ｈは識別用可変ＩＤと照会依頼情報を店舗用ＤＢ１５に送信する。この際、通信処理部１４ｈは認証ＩＤやパスワードを携帯電話機１８に与え、携帯電話機１８からこれらの情報が店舗用ＤＢ１５に送信される（ＳＴ４３０）。
【０１００】
次いで、ステップＳ４４０では、制御部１４ｆは、通信処理部１４ｈを介して店舗用ＤＢ１５から送信されてくる照会結果（照会ＯＫフラグ、または、照会ＮＧフラグ）と新たな識別用可変ＩＤの更新データを受信し、ＲＡＭ１４ｍに記憶する（ＳＴ５６０）。
【０１０１】
次いで、ステップＳ４６０では、制御部１４ｆは、ＲＡＭ１４ｍに記憶した照会結果が照会ＯＫフラグか否かを判断する。ここで、照会ＯＫフラグを受信した場合にはステップＳ４７０に進む。一方、照会ＮＧフラグを受信した場合にはステップＳ４８０に進む。
【０１０２】
次いで、照会ＯＫフラグを受信した場合に、ステップＳ４７０では、制御部１４ｆは、ＲＦＩＤタグ１３を内蔵したカバン１２が本物であると判定したので、本物であることを示すメッセージデータを生成して表示部１４ｇに表示する。
【０１０３】
次いで、ステップＳ４７５では、制御部１４ｆは、ＲＡＭ１４ｍに記憶した新たな識別用可変ＩＤを読み出して、これを変調部１４ｎに出力するようにしてＲＦＩＤタグ１３に送信する（ＳＴ４７５）。
【０１０４】
一方、照会ＮＧフラグを受信した場合には、ステップＳ４８０では、制御部１４ｆは、このカバン１２が贋物であると判定したので、贋物であることを示すメッセージデータを生成して表示部１４ｇに表示する。
【０１０５】
＜携帯時での店舗用ＤＢの動作説明＞
次に、図４に示すブロック図、図１４に示すフローチャート、図１５（ｂ）に示すシーケンス図を参照して、店舗用ＤＢ１５の動作を説明する。
【０１０６】
真贋判定用端末１４が、店舗用ＤＢ１５のＵＲＬアドレスを携帯電話機１８に渡すと、携帯電話機１８は、無線通信回線１９に対して発呼し、無線通信回線１９、通信回線１６、ルータ２０を介して店舗用ＤＢ１５と接続する。この後、真贋判定用端末１４から識別用可変ＩＤと照会依頼情報を受け付けた携帯電話機１８は、これらの情報を店舗用ＤＢ１５に送信する（ＳＴ４３０）。
【０１０７】
一方、店舗用ＤＢ１５において、制御部１５ｄは、指定されたＵＲＬアドレスに応じて認証ダイアローグを起動する。ここで、ステップＳ５１０では、制御部１５ｄは、真贋判定用端末１４から通信処理部１５ｆを介して受信した所有者の認証ＩＤやパスワードを受付て認証処理を行い、認証結果が正しい場合に、真贋判定用端末１４から識別用可変ＩＤと照会依頼情報を受信し、ＲＡＭ１５ｈに記憶する。
【０１０８】
次いで、ステップＳ５２０では、制御部１５ｄは、真贋判定用端末１４から受信した照会依頼情報に応じて、ＲＡＭ１５ｈから読み出したこの識別用可変ＩＤに該当する識別用可変ＩＤがハードディスク１５ｅに記憶されているレコード上にあるか否かを検索する。
【０１０９】
ここで、制御部１５ｄは、この識別用可変ＩＤに該当する識別用可変ＩＤがハードディスク１５ｅに記憶されている場合には、ステップＳ５３０に進み、照会ＯＫフラグを生成し、ステップＳ５４０に進む。
【０１１０】
次いで、ステップＳ５４０では、制御部１５ｄは、新しい識別用可変ＩＤを生成し、ハードディスクＨＤ１５ｅの同一のレコード上に新しい識別用可変ＩＤを記憶して保存する。
【０１１１】
次いで、ステップＳ５５０では、制御部１５ｄは、作成した新しい識別用可変ＩＤと照会ＯＫフラグを通信処理部１５ｆでパケットデータに生成し、通信処理部１５ｆから携帯電話機１８に送信し、真贋判定用端末１４に転送する（ＳＴ５６０）。
【０１１２】
一方、該当する識別用可変ＩＤがハードディスク１５ｅに記憶されていない場合には、ステップＳ５６０に進み、照会ＮＧフラグを生成し、ステップＳ５７０に進む。
【０１１３】
次いで、ステップＳ５７０では、制御部１５ｄは、照会ＮＧフラグを通信処理部１５ｆから携帯電話機１８に送信し、真贋判定用端末１４に転送する（ＳＴ５７０）。
【０１１４】
このように、店舗用ＤＢ１５から受信した識別用可変ＩＤを物品に付加されたＲＦＩＤタグ１３に送信しておき、真贋の判定時に、ＲＦＩＤタグ１３に記憶されている識別用可変ＩＤの送信を要求し、このＲＦＩＤタグ１３から識別用可変ＩＤを受信し、このＲＦＩＤタグ１３から受信した識別用可変ＩＤの真贋判定に関する照会依頼をこの識別用可変ＩＤに付加して店舗用ＤＢ１５に送信し、店舗用ＤＢ１５から受信した照会結果に基づいて、当該識別用可変ＩＤの真贋を判定し、この判定結果を表示することで、真贋判定の対象となるカバンの真贋を確実に判定することができる。
【０１１５】
例えば、ホテルのクロークや空港等において、所有者のカバンと類似した複数のカバンの中から自己のカバンを探し出す場合に、対象となるカバンの真贋を確実に判定することができる。
【０１１６】
また、判定結果が真である場合に、店舗用ＤＢ１５から受信した新たな識別用可変ＩＤをＲＦＩＤタグ１３に送信することで、真のＲＦＩＤタグ１３に対して新たな識別用可変ＩＤに更新することができ、物品の真贋判定を高確度で行うことができる。
【０１１７】
また、真贋判定用端末１４から識別用可変ＩＤを受信して強誘電体メモリ部１３ｆに記憶しておき、判定時に、真贋判定用端末１４からこの識別用可変ＩＤの送信を要求するための要求情報を受信した場合に、強誘電体メモリ部１３ｆから読み出した識別用可変ＩＤを真贋判定用端末１４に送信することで、ＲＦＩＤタグ１３に記憶されている識別用可変ＩＤを送信させることで、この識別用可変ＩＤを有する物品の真贋の判定を行うことができる。
【０１１８】
また、真贋判定用端末１４の判定結果が真である場合に、真贋判定用端末１４から新たな識別用可変ＩＤを受信して強誘電体メモリ部１３ｆに記憶することで、ＲＦＩＤタグ１３に記憶されている識別用可変ＩＤを最新のものに更新することができる。
【０１１９】
また、演算時に、不揮発性メモリに記憶された識別コードを残さない破壊読出しを行うので、ＲＦＩＤタグ１３の複製を防止することができる。
【０１２０】
また、ＲＦＩＤタグ１３は、真贋判定用端末１４から識別用可変ＩＤを受信して強誘電体メモリ部１３ｆに記憶しておき、判定時に、真贋判定用端末１４からの識別用可変ＩＤの要求情報に応じて強誘電体メモリ部１３ｆから読み出した識別用可変ＩＤを真贋判定用端末１４に送信し、店舗用ＤＢ１５は、特有の識別用可変ＩＤを生成して記憶し、ＲＦＩＤタグから受信した識別用可変ＩＤとこの識別用可変ＩＤの真贋判定に関する照会依頼とを真贋判定用端末１４から受信し、この受信された識別用可変ＩＤと一致する識別用可変ＩＤがハードディスクＨＤ１５ｅにあるか否かを検索し、この検索の結果を照会結果として真贋判定用端末１４に送信し、真贋判定用端末１４は、店舗用ＤＢ１５から識別用可変ＩＤに関する照会結果を受信し、店舗用ＤＢ１５から受信した照会結果に基づいて、当該識別用可変ＩＤの真贋を判定して判定結果を表示することで、真贋判定の対象となるカバンの真贋を確実に判定することができる。
【０１２１】
例えば、ホテルのクロークや空港等において、所有者のカバンと類似した複数のカバンの中から自己のカバンを探し出す場合に、対象となるカバンの真贋を確実に判定することができる。
【０１２２】
＜他の実施形態＞
上記の実施形態にあっては、真贋判定用端末１４と店舗用ＤＢ１５との間でパケットデータを用いたデータ通信を仲介するために携帯電話機１８を用いたが、本発明はこのような場合に限定されるものではなく、真贋判定用端末１４を携帯電話機１８に内蔵するようにしてもよい。
【０１２３】
また、上記の実施形態にあっては、真贋判定用端末１４と店舗用ＤＢ１５との間でパケットデータを用いたデータ通信を仲介するために携帯電話機１８を用いたが、本発明はこのような場合に限定されるものではなく、パケットデータに変換されるデータとして、ファイルデータやメールデータを用いてもよい。
【０１２４】
また、上記の実施形態にあっては、商品の販売店等の店舗に設けられた店舗用ＤＢ１５を用いているが、本発明はこのような場合に限定されるものではなく、例えば、通信回線を介して商品の製造業者に設けられ、店舗用ＤＢ１５と同様の役割を果たすデータベース装置を用いてもよい。
【０１２５】
また、上記の実施形態にあっては、店舗用ＤＢ１５が発行した識別用可変ＩＤに基づいて照会処理を行ったが、本発明はこのような場合に限定されるものではなく、固定的に個々の所有者に対して割り付けた識別コードを識別用可変ＩＤに付加しておき、上述したような照会処理を行うようにしてもよい。
【図面の簡単な説明】
【０１２６】
【図１】本発明の実施形態に係る真贋判定システムの構成を説明するためのブロック図である。
【図２】図１に示すＲＦＩＤタグ１３の構成を説明するためのブロック図である。
【図３】図１に示す真贋判定用端末１４の構成を説明するためのブロック図である。
【図４】図１に示す店舗用ＤＢ１５の構成を説明するためのブロック図である。
【図５】図２に示す強誘電体メモリ部の第１の構成例を示すブロック図である。
【図６】図５に示す強誘電体メモリ部に備えられているメモリ部の構成を示すブロック図である。
【図７】図６に示す強誘電体メモリ部に備えられているメモリセルの構成を示すブロック図である。
【図８】図２に示す強誘電体メモリ部の第２の構成例を示すブロック図である。
【図９】本発明の実施形態に係る店舗用ＤＢ１５の販売時での動作を説明するためのフローチャートである。
【図１０】本発明の実施形態に係る真贋判定用端末１４の販売時での動作を説明するためのフローチャートである。
【図１１】本発明の実施形態に係るＲＦＩＤタグ１３の販売時での動作を説明するためのフローチャートである。
【図１２】本発明の実施形態に係るＲＦＩＤタグ１３の携帯時での動作を説明するためのフローチャートである。
【図１３】本発明の実施形態に係る真贋判定用端末１４の携帯時での動作を説明するためのフローチャートである。
【図１４】本発明の実施形態に係る店舗用ＤＢ１５の動作を説明するためのフローチャートである。
【図１５】本発明の実施形態に係る真贋判定システムの動作を説明するための販売時のシーケンス図（ａ）、携帯時のシーケンス図（ｂ）である。
【図１６】従来の技術を説明するための図である。
【符号の説明】
【０１２７】
１１…真贋判定システム、１２…カバン、１３…ＲＦＩＤタグ、１３ａ…コイルアンテナ、１３ｂ…電力発生回路、１３ｃ…送信部、１３ｄ…変調部、１３ｅ…ＲＯＭ、１３ｆ…強誘電体メモリ部、１３ｇ…制御部、１３ｈ…受信部、１３ｉ…復調部、１４…真贋判定用端末、１４ａ…コイルアンテナ、１４ｂ…発振部、１４ｃ…受信部、１４ｄ…復調部、１４ｅ…ＥＥＰＲＯＭ、１４ｆ…制御部、１４ｇ…表示部、１４ｈ…通信処理部、１４ｉ…操作部、１４ｋ…ＲＯＭ、１４ｍ…ＲＡＭ、１４ｎ…変調部、１４ｐ…送信部、１５ａ…モニタ、１４ｒ…コネクタ、１５ｂ…表示処理部、１５ｃ…キーボード、１５ｄ…制御部、１５ｆ…通信処理部、１５ｇ…ＲＯＭ、１５ｈ…ＲＡＭ、１６…通信回線、１７…専用ケーブル、１８…携帯電話機、１９…無線通信回線、２０…ルータ
【図１】
2007328567.tif 000003
【図２】
2007328567.tif 000004
【図３】
2007328567.tif 000005
【図４】
2007328567.tif 000006
【図５】
2007328567.tif 000007
【図６】
2007328567.tif 000008
【図７】
2007328567.tif 000009
【図８】
2007328567.tif 000010
【図９】
2007328567.tif 000011
【図１０】
2007328567.tif 000012
【図１１】
2007328567.tif 000013
【図１２】
2007328567.tif 000014
【図１３】
2007328567.tif 000015
【図１４】
2007328567.tif 000016
【図１５】
2007328567.tif 000017
【図１６】
2007328567.tif 000018